(57)【特許請求の範囲】
【請求項１】
上面で治具の組み立てやワークの加工を行う作業用定盤であって、当該作業用定盤が治具を固定する固定孔を設けた平面、又は／及びワークの加工用の平面を形成した上部定盤部材と、この上部定盤部材を支持する下部定盤部材とが重ね合わされた状態で、両定盤部材の所定箇所を固定具で固定し、
両定盤部材の所定箇所を固定した固定具の位置を避けた所定の位置の下部定盤部材から平面調整具を上部定盤部材の下面に当接させ、当該平面調整具を出退させることにより上部定盤部材の上面の平面度を調節可能に構成したことを特徴とする作業用定盤。
【請求項２】
上面で治具の組み立てやワークの加工を行う作業用定盤であって、当該作業用定盤が治具を固定する固定孔を設けた平面、又は／及びワークの加工用の平面を形成した上部定盤部材と、この上部定盤部材を支持する下部定盤部材とが重ね合わされた状態で、両定盤部材の所定箇所を固定具で固定し、
下部定盤部材の大きさが上部定盤部材を越えない略同じか僅かに小さく形成するとともに、上部定盤の周側縁の下部周縁を面取りしたことを特徴とする作業用定盤。
【請求項３】
下部定盤部材の大きさが上部定盤部材を越えない略同じか僅かに小さく形成するとともに、上部定盤の周側縁の下部周縁を面取りしたことを特徴とする請求項１に記載の作業用定盤。
【発明の詳細な説明】
【技術分野】
【０００１】
本発明は、治具の作成や設定、ワークの溶接加工や切削乃至刃研磨加工等の作業時に使用する作業用定盤に関するものである。
【背景技術】
【０００２】
従来、この種の作業用定盤は、一枚の厚肉鋼板や鋳鉄等で直方体に形成されたものの表面部分を平面加工やジグ取り付け用のねじ穴等の穿設加工をして作業面を形成してなるものであった。
こうしたものでは、作業面が大きく傷ついたり、熱等で大きく歪んだりしたときは、このおおきくて重量のある溶接用定盤や作業用定盤の全体を交換して取り換えなくてはならないという問題があった。
上記熱歪みを少なくするために例えば特許文献１に示すように定盤の内方に冷却装置の通路を形成するようにしたもの提案されているが、こうしたものでは構造が複雑になるだけでなく、厚みもさらに増して大型化してしまうという問題があった。
【特許文献１】実開平５−３１８６７号公報
【発明の開示】
【発明が解決しようとする課題】
【０００３】
本発明は上記問題点に鑑み提案されたもので、構造が複雑化することなく、コンパクトでメンテナンスが容易に行える作業用定盤を提供できるようにすることを目的とするものである。
【課題を解決するための手段】
【０００４】
上記目的を達成するために、請求項１の本発明にかかる作業用定盤は、上面で治具の組み立てやワークの加工を行う作業用定盤であって、当該作業用定盤が治具を固定する固定孔を設けた平面、又は／及びワークの加工用の平面を形成した上部定盤部材と、この上部定盤部材を支持する下部定盤部材とが重ね合わされた状態で、両定盤部材の所定箇所を固定具で固定し、両定盤部材の所定箇所を固定した固定具の位置を避けた所定の位置の下部定盤部材から平面調整具を上部定盤部材の下面に当接させ、当該平面調整具を出退させることにより上部定盤部材の上面の平面度を調節可能に構成するようにしたことを特徴とするものである。
【０００５】
請求項２の本発明にかかる作業用定盤は、上面で治具の組み立てやワークの加工を行う作業用定盤であって、当該作業用定盤が治具を固定する固定孔を設けた平面、又は／及びワークの加工用の平面を形成した上部定盤部材と、この上部定盤部材を支持する下部定盤部材とが重ね合わされた状態で、両定盤部材の所定箇所を固定具で固定し、下部定盤部材の大きさが上部定盤部材を越えない略同じか僅かに小さく形成するとともに、上部定盤の周側縁の下部周縁を面取りしたことを特徴とするものである。
【０００６】
また、請求項３の本発明にかかる作業用定盤は、請求項１の本発明の構成に加え、下部定盤部材の大きさが上部定盤部材を越えない略同じか僅かに小さく形成するとともに、上部定盤部材の周側縁の下部周縁を面取りしたことを特徴とするものである。
【発明の効果】
【０００７】
請求項１〜請求項３のいずれかの本発明の作業用定盤によれば、治具を固定する固定孔を設けた平面、又は／及びワークの加工用の平面を形成した上部定盤部材と、この上部定盤部材を支持する下部定盤部材とが重ね合わされた状態で両定盤部材の所定箇所を固定具で固定することにより、作業用定盤を形成するようにしてある。
これにより、作業面が傷んだときは、固定具での固定を解除して、上部定盤部材を下部定盤部材から分離することにより、当該上部定盤部材だけを交換することができるので、そのメンテナンスを簡単に行うことができる。
【０００８】
また、請求項１〜請求項３のいずれかの本発明の作業用定盤は、下部定盤部材に上部定盤部材を重ね、両者を固定具で固定するだけの簡単な構造であることから安価に実施することができる利点がある。
【０００９】
加えて、請求項１又は請求項３の本発明の作業用定盤は、平面度を、両定盤部材の所定箇所を固定した固定具の位置を避けた所定の位置の下部定盤部材から平面調整具を上部定盤部材の下面に当接させ、当該平面調整具を出退させることにより上部定盤部材の上面の平面度を調節可能に構成するようにしたので、簡単な操作で平面度を維持することができる利点がある。
【００１０】
さらに、請求項２又は請求項３の本発明にかかる作業用定盤は、下部定盤部材の大きさを上部定盤部材を越えない略同じか僅かに小さく形成するとともに、上部定盤部材の周側縁の下部周縁を面取りしたものでは、外観上、上下の定盤部材の周縁部分のなじみがよく、違和感をなくして品質を向上させることができる利点がある。
【発明を実施するための最良の形態】
【００１１】
以下、本発明の作業用定盤の最も好ましい実施の形態を図面に基づいて説明する。
図１は本発明にかかる作業用定盤の側面図、図２は底面図、図３は図２におけるＡ−Ａ線断面図であって、図中符号１は作業用定盤を全体的に示す。
この作業用定盤１は、台座２の上部に取り付けられている。
台座２は、断面が略Ｃ形に形成された鋼材で、長方形の枠型に形成され、その長手方向に２本の梁３が設けられており、四囲の側面の下方には部品取り出し用開口４が適宜の間隔をもって開口されるとともに、この台座２を例えば図上２点鎖線で示す定盤設置部５に取り付けるための固定部６が設けてある。
【００１２】
作業用定盤１は、台座２に取り付けられる下部定盤部材７と、この下部定盤部材７の上方に設けられる上部定盤部材８とからなり、各定盤部材７・８には２種類の径からなる治具取り付け用の穴若しくはねじ穴９がマトリックスに形成されている。
ちなみに、本例の上部定盤部材８の大きさは１２００ｍｍ×２４００ｍｍであって、上下の定盤部材７・８の板厚は１２ｍｍとなっている
この上部定盤部材８と下部定盤部材７とは、上下に重ねあわされた状態で図４及び図５に示すように、周囲寄り部分および中央部分を図に示すように六角穴付きボルト（固定具）１０により一体化すると共に、当該六角穴付きボルト１０の取り付け位置を避けた位置の下部定盤部材７に突き上げボルト（平面調整具）１１が螺着されている。
また、下部定盤部材７は図６及び図７に示すように、上部定盤部材８から飛び出さないように僅かに小形に形成されると共に、上下の定盤部材７・８が調和するように上部定盤部材８の下部周縁を約５ｍｍの面取り１２を施してある。
なお、図４及び図５において、符号１３は作業用定盤１を台座２に取り付けるためのねじ穴である。
【００１３】
上記のように形成された本発明の作業用定盤１は、あらかじめ下部定盤部材７に突き上げボルト１１を、その上端部が下部定盤部材７の上面から突出しない状態に螺着しておき、この下部定盤部材７を台座２に取り付ける。
次に、下部定盤部材７の上に上部定盤部材８を重ねて置き、上部定盤部材８から挿入した六角穴付きボルト１０を下部定盤部材７に螺締することにより上下の定盤部材７・８をしっかりと固定する。
然る後、突き上げボルト１１を調節することにより、上部定盤部材８の上面の作業面１４の平面度を調節すると作業用定盤１が完成する。
【００１４】
斯くして形成された作業用定盤１が使用される結果、作業面１４であるところの上部定盤部材の上面が熱等により歪んだときは、突き上げボルト１１を再び調整することにより簡単に平面の調整を行うことができ、長期間にわたって使用することができる。
また、作業面１４であるところの上部定盤部材８の上面の作業面１４が傷ついたり磨滅した場合には、六角穴付きボルト１０を螺解することにより、上部定盤部材８を下部定盤部材７から分離することができ、この上部定盤部材のみを取り換えることができる。
これにより、軽量にして簡単に短時間で作業面１４の交換作業を行うことができるのである。
【図面の簡単な説明】
【００１５】
【図１】は本発明にかかる作業用定盤の側面図である。
【図２】は本発明にかかる作業用定盤の底面図である。
【図３】は図２におけるＡ−Ａ線断面図である。
【図４】は本発明にかかる作業用定盤の上部定盤部材の平面図である。
【図５】は本発明にかかる作業用定盤の下部定盤部材の平面図である。
【図６】は本発明にかかる作業用定盤のコーナ部分の側面図である。
【図７】は本発明にかかる作業用定盤の固定部及び平面調整具部分の断面図である。
【符号の説明】
【００１６】
１・・・作業用定盤
２・・・台座
３・・・梁
４・・・部品取り出し用開口
５・・・定盤設置部
６・・・固定部
７・・・下部定盤部材
８・・・上部定盤部材
９・・・治具取り付け用の穴もしくはねじ穴
１０・・・固定具（六角穴付きボルト）
１１・・・平面調整具（突き上げボルト）
１２・・・面取り
１３・・・ねじ穴
１４・・・作業面
【図１】
0005276884.tif 000002
【図２】
0005276884.tif 000003
【図３】
0005276884.tif 000004
【図４】
0005276884.tif 000005
【図５】
0005276884.tif 000006
【図６】
0005276884.tif 000007
【図７】
0005276884.tif 000008